(57)【要約】【課題】締結カムレバーが不用意に回動してロック状態が解除される虞はなく、また締結カムレバーを所定位置に保持してカプラーに対するアダプターの結合時の操作もし易いレバー式カップリングを提供することにある。【解決手段】筒状のアダプター１と、アダプター１が内挿される筒状のカプラー２とからなり、アダプター１はその外周面に凹部８を有し、カプラー２は凹部８に係合してアダプター１とカプラー２とを結合状態でロックするカム部６を有する２本の締結カムレバー５を備えたレバー式カップリングにおいて、カプラー２に設けられ締結カムレバー５を回動可能に枢支する枢支軸４と、カプラー２に締結カムレバー５と係脱可能に設けられ、凹部８に対するカム部６のロック状態またはアンロック状態に締結カムレバー５を保持するロックピン１７とを具備したことを特徴とする。【選択図】図１
2007032791.tif 000002
【特許請求の範囲】
【請求項１】
筒状のアダプターと、前記アダプターが内挿される筒状のカプラーとからなり、前記アダプターはその外周面に凹部を有し、前記カプラーは前記凹部に係合して前記アダプターと前記カプラ-とを結合状態でロックするカム部を有する２本の締結カムレバーを備えたレバー式カップリングにおいて、
前記カプラーに設けられ前記締結カムレバーを回動可能に枢支する枢支軸と、
前記カプラーに前記締結カムレバーと係脱可能に設けられ、前記凹部に対するカム部のロック状態またはアンロック状態に前記締結カムレバーを保持するロックピンとを具備したことを特徴とするレバー式カップリング。
【請求項２】
前記ロックピンは、前記カプラーに前記カム部の側面に対して進退自在に設けられ、前記カム部に向って前進する方向に付勢されており、前記カム部の側面には前記締結カムレバーがロック状態とアンロック状態に位置したときに、前記ロックピンと係合する２つの係合凹部が設けられていることを特徴とする請求項１記載のレバー式カップリング。
【請求項３】
前記ロックピンは、前記カプラーから突出する基端部に指押え部が設けられ、この指押え部を押し込むことにより、てこ作用によって前記ロックピンを付勢力に抗して後退できることを特徴とする請求項１記載のレバー式カップリング。
【発明の詳細な説明】
【技術分野】
【０００１】
この発明は、流体を輸送する配管相互、ホース相互等を接続するレバー式カップリングに関する。
【背景技術】
【０００２】
従来のレバー式カップリングは、一方の配管やホースと接続される筒状のアダプターと、このアダプターが内挿され、他方の配管やホースと接続される筒状のカプラーとから構成されている。前記アダプターにはその外周面に凹部が設けられ、前記カプラーには凹部に係合してアダプターとカプラ-とを結合状態でロックするカム部を有する２本の締結カムレバーを備えている（例えば、特許文献１参照。）。
【０００３】
このレバー式カップリングは、図６に示すように、筒状のアダプター１が内挿される筒状のカプラー２に外方に突出する一対の突出部３が対称的に設けられ、これら突出部３には枢支軸４を中心に回動可能に枢着された締結カムレバー５が設けられている。
【０００４】
締結カムレバー５の基端部にはカム部６が設けられ、このカム部６は締結カムレバー５の回動によってカプラー２の側壁に設けられた開口７からカプラー２の内部に突没可能になっている。アダプター１の外周壁にはカム部６と係合する凹部８が設けられ、アダプター１をカプラー２に内挿した状態で、締結カムレバー５を枢支軸４を中心として回動すると、カム部６が凹部８の面上を回動しながら凹部８に係合してアダプター１とカプラー２が結合状態でロックされるようになっている。
すなわち、締結カムレバー５がカプラー２のアダプター１との接続側に回動した状態においてはカム部６が開口７から没入してアンロック状態となり、締結カムレバー５が逆方向に回動した状態においてはカム部６が開口７から内部に突出してアダプター１の凹部８と係合してロック状態となる。
【特許文献１】特開２００１−７４１８６号公報
【発明の開示】
【発明が解決しようとする課題】
【０００５】
しかしながら、前述のように構成されたレバー式カップリングは、カプラー２のアダプター１との接続側が上向きに位置しているとき、締結カムレバー５をカプラー２のアダプター１との接続側（上方）に回動してアンロック状態にしようとしても、締結カムレバー５が自重によって下方へ回動してカム部６が開口７から内部に突出してしまう。従って、アダプター１をカプラー２に内挿しようとしても、カプラー２の先端がカム部６に当接してしまい、締結カムレバー５を手指で押えてカプラー２のアダプター１との接続側（上方）に回動しないと接続できず、操作性が悪い。
また、締結カムレバー５を逆方向（下方）に回動してカム部６が開口７から突出してアダプター１の凹部８と係合してロック状態にあっても、振動や衝撃が加わったときに、締結カムレバー５がアンロック側に回動してアダプター１とカプラー２との結合が解除される虞がある。
この発明は、前記事情に着目してなされたもので、この目的とするところは、締結カムレバーが不用意に回動してロック状態が解除される虞はなく、また締結カムレバーを所定位置に保持してカプラーに対するアダプターの結合時の操作もし易いレバー式カップリングを提供することにある。
【課題を解決するための手段】
【０００６】
この発明は前記目的を達成するために、請求項１は、筒状のアダプターと、前記アダプターが内挿される筒状のカプラーとからなり、前記アダプターはその外周面に凹部を有し、前記カプラーは前記凹部に係合して前記アダプターと前記カプラ-とを結合状態でロックするカム部を有する２本の締結カムレバーを備えたレバー式カップリングにおいて、前記カプラーに設けられ前記締結カムレバーを回動可能に枢支する枢支軸と、前記カプラーに前記締結カムレバーと係脱可能に設けられ、前記凹部に対するカム部のロック状態またはアンロック状態に前記締結カムレバーを保持するロックピンとを具備したことを特徴とする。
【０００７】
請求項２は、請求項１の前記ロックピンは、前記カプラーに前記カム部の側面に対して進退自在に設けられ、前記カム部に向って前進する方向に付勢されており、前記カム部の側面には前記締結カムレバーがロック状態とアンロック状態に位置したときに、前記ロックピンと係合する２つの係合凹部が設けられていることを特徴とする。
【０００８】
請求項３は、請求項１の前記ロックピンは、前記カプラーから突出する基端部に指押え部が設けられ、この指押え部を押し込むことにより、てこ作用によって前記ロックピンを付勢力に抗して後退できることを特徴とする。
【発明の効果】
【０００９】
この発明によれば、締結カムレバーをロック状態またはアンロック状態に保持するロックピンを設けることにより、締結カムレバーが不用意に回動してロック状態が解除される虞はなく、また締結カムレバーを所定位置に保持してカプラーに対するアダプターの結合操作を容易に行うことができるという効果がある。
【発明を実施するための最良の形態】
【００１０】
以下、この発明の実施の形態を図面に基づいて説明するが、従来と同一構成部分は同一番号を付して説明を省略する。
【００１１】
図１〜図５は第１の実施形態を示し、図１〜図３に示すように、カプラー２の外壁に対称的に設けられ、外方に突出する突出部３は間隙部１１を挟んで対向する一対の突起部１２ａ，１２ｂが設けられている。一対の突起部１２ａ，１２ｂには締結カムレバー５を枢支する枢支軸４の両端部が軸支され、間隙部１１に締結カムレバー５が回動可能に枢着されている。
【００１２】
締結カムレバー５の基端部にはカム部６が設けられ、このカム部６は締結カムレバー５の回動によってカプラー２の側壁に間隙部１１と貫通して設けられた開口７からカプラー２の内部に突没可能になっている。すなわち、締結カムレバー５がカプラー２のアダプター１との接続側（上方）に回動した状態においてはカム部６が開口７から没入してアンロック状態となり、締結カムレバー５が逆方向（下方）に回動した状態においてはカム部６が開口７から内部に突出してアダプター１の凹部８と係合してロック状態となる。
【００１３】
図４に示すように、締結カムレバー５の基端部における枢支軸４よりカム面６ａ側の側面には底の浅い第１の係合凹部１３が設けられ、枢支軸４より反カム面６ｂ側の側面には底の深い第２の係合凹部１４が設けられている。そして、第１の係合凹部１３と第２の係合凹部１４は枢支軸４を中心とする同一回転軌跡上に位置している。
さらに、図５に示すように、一方の突起部１２ａには枢支軸４と平行し、かつ第１の係合凹部１３と第２の係合凹部１４の回転軌跡上に対向してピン穴１５が設けられている。このピン穴１５は内側が小径部１６ａ、外側が大径部１６ｂに形成され、さらに大径部１６ｂの開口端の内周面には雌ねじ部１６ｃが設けられている。ピン穴１５には突起部１２ａの外側からロックピン１７が進退自在に挿入されている。
【００１４】
ロックピン１７は、第１の係合凹部１３と第２の係合凹部１４に係合しやすいように先端部が丸みを帯びており、基端部の貫通孔１８にはリング状の指押え部１９が取付けられている。このロックピン１７は中間部が雌ねじ部１６ｃにねじ込み固定された駒２０によって支持されている。ロックピン１７の先端側にはバネストッパ２１が固定され、このバネストッパ２１と駒２０との間にはコイルバネ２２がロックピン１７に嵌合して圧縮した状態に設けられている。従って、ロックピン１７はコイルバネ２２のバネ力によって前進方向、つまり先端部が締結カムレバー５の側面に当接する方向に付勢されている。
【００１５】
さらに、ロックピン１７に取付けられたリング状の指押え部１９は、そのリング中間部１９ａが突起部１２ａの角部２３に位置している。従って、指押え部１９を手指で押えて突起部１２ａ方向に押し込むと、指押え部１９は角部２３を支点とし、てこ作用によってロックピン１７を付勢力に抗して後退させることができるようになっている。
【００１６】
次に、前記実施形態の作用について説明する。
カプラー２のアダプター１との接続側を上向きに位置しているとき、締結カムレバー５をカプラー２のアダプター１との接続側（上方）に回動してアンロック状態にすると、締結カムレバー５に設けられた第１の係合凹部１３がロックピン１７に対向する。従って、ロックピン１７はコイルバネ２２のバネ力によって前進し、ロックピン１７の先端部が第１の係合凹部１３に係合し、さらにコイルバネ２２のバネ力によって係合状態に保持される。
このため、締結カムレバー５が自重によって下方へ回動することはなく、締結カムレバー５はカプラー２の上方に回動してアンロック状態に保持され、カム部６は開口７から没入される。従って、アダプター１をカプラー２に内挿するとき、アダプター１の先端がカム部６に干渉することなくカプラー２に対してアダプター１を容易に接続できる。
【００１７】
この状態から締結カムレバー５を下方に回動すると、カム部６が開口７から突出してアダプター１の凹部８と係合してロック状態となり、このとき締結カムレバー５に設けられた第２の係合凹部１４がロックピン１７に対向する。従って、ロックピン１７はコイルバネ２２のバネ力によって前進し、ロックピン１７の先端部が第２の係合凹部１４に係合し、さらにコイルバネ２２のバネ力によって係合状態に保持される。
第２の係合凹部１４は底が深く、ロックピン１７と深く係合しているため、レバー式カップリングに振動や衝撃が加わってもロックピン１７と第２の係合凹部１４との係合が外れることはなく、締結カムレバー５がアンロック側に回動してアダプター１とカプラー２との結合が解除される虞はない。
【００１８】
また、ロックピン１７と第２の係合凹部１４との係合を解除し、締結カムレバー５をアンロック側に回動してアダプター１とカプラー２との結合を解除する場合、指押え部１９の自由端側を手指で押えて突起部１２ａ方向に押し込むと、指押え部１９は角部２３を支点とし、てこ作用によってロックピン１７を付勢力に抗して後退させることができる。従って、ロックピン１７の先端部を第２の係合凹部１４から脱出させてロックピン１７と第２の係合凹部１４との係合を解除できる。このため、締結カムレバー５が回動自在となり、締結カムレバー５を上方に回動してアンロック状態にすることができる。
【００１９】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２０】
【図１】この発明の第１の実施形態を示し、（ａ）はアダプターの一部切欠した斜視図、（ｂ）はカプラーの一部切欠した斜視図。
【図２】同実施形態を示すアダプターとカプラーの一部切欠した側面図。
【図３】同実施形態を示すアダプターとカプラーの結合状態の一部切欠した側面図。
【図４】同実施形態を示す締結カムレバーの側面図。
【図５】同実施形態を示すロックピンの取付け状態を示す断面図。
【図６】従来のカップリングを示し、（ａ）はアダプターの一部切欠した斜視図、（ｂ）はカプラーの一部切欠した斜視図。
【符号の説明】
【００２１】
１…アダプター、２…カプラー、４…枢支軸、５…締結カムレバー、６…カム部、８…凹部、１７…ロックピン
【図１】
2007032791.tif 000003
【図２】
2007032791.tif 000004
【図３】
2007032791.tif 000005
【図４】
2007032791.tif 000006
【図５】
2007032791.tif 000007
【図６】
2007032791.tif 000008